(57)【要約】【課題】折り畳み作業が容易な折り畳み式運搬用容器を提供する。【解決手段】折り畳み式運搬用容器は、底壁１２、長側壁１３及び短側壁１４からなる有底長四角箱状の容器本体１１を備え、長側壁１３を底壁１２上面に折り畳んだ後、短側壁１４をその上に折り畳むことができる。長側壁１３の外側面には、垂直スライド部材５１と、その垂直スライド部材５１の上下動を受けて水平方向にスライドする水平スライド部材５２とが添設されている。短側壁１４の両端部には、短側壁１４の内外側方に押圧される押圧片８６が設けられ、その押圧片８６の内端部には長側壁１３の内側面（係合板４３ａの裏面）と係合する係合突部８７が突設されている。そして、垂直スライド部材５１を下動させることにより、水平スライド部材５２外端部の係合解除突起６１が係合突部８７を短側壁１４の外側方に押圧し、係合突部８７と係合板４３ａ裏面との間の係合状態が解除される。【選択図】　　　図１
2004051199.tif 000002
【特許請求の範囲】
【請求項１】
底壁とその底壁の周縁に沿って立設された第一側壁及び第二側壁とからなる有底四角箱状の容器本体を備え、
各側壁の下端部には各側壁を容器本体の内方に折り畳むための回動手段を設けるとともに、
第一側壁を底壁の上面に折り畳んだ後、第二側壁をその上に折り畳むことにより、容器本体を折り畳み可能に構成した折り畳み式運搬用容器であって、
前記第一側壁の外側面には、上下方向にスライドする垂直スライド部材と、その垂直スライド部材と連動して水平方向にスライドする水平スライド部材とを添設し、
両スライド部材間には垂直スライド部材の上下方向のスライドを水平スライド部材の水平方向のスライドに変換しながら伝達するスライド変換手段を設けるとともに、前記水平スライド部材の外端部に係合解除部を設け、
前記第二側壁の両端部には同側壁の外側方に弾性変形可能に押圧される押圧片を設け、その押圧片の内端部には第一側壁の内側面と係合してその折り畳みを規制する係合突部を設けるとともに、
前記垂直スライド部材を上動又は下動させることにより前記係合解除部が係合突部を第二側壁の外側方に押圧して第一側壁の折り畳み規制を解除するように構成した折り畳み式運搬用容器。
【請求項２】
前記第一側壁と、垂直スライド部材又は水平スライド部材との接合部に、前記係合解除部が係合突部を第二側壁の外側方に押圧しないように係合解除部を所定方向に付勢するための付勢手段を設けたことを特徴とする請求項１に記載の折り畳み式運搬用容器。
【請求項３】
前記スライド変換手段を、垂直スライド部材の両端部に斜め上方又は斜め下方に傾斜する長孔状に穿設されたスライド係合孔と、水平スライド部材の基端部に設けられたスライド係合凸部と、前記水平スライド部材を水平方向にスライドするようにガイドするスライドガイド部とから構成するとともに、
前記スライド係合凸部をスライド係合孔内でスライド可能となるように係入させるように構成したことを特徴とする請求項１又は請求項２に記載の折り畳み式運搬用容器。
【発明の詳細な説明】
【０００１】
【発明の属する技術分野】
この発明は、不使用時には小さくコンパクトに折り畳んで収納及び運搬することができるように構成された折り畳み式運搬用容器に関するものである。より詳しくは、折り畳み作業を非常に簡単に行うことができるように構成された折り畳み式運搬用容器に関するものである。
【０００２】
【従来の技術】
従来より、この種の折り畳み式運搬用容器としては、実開昭６３−１１７７２５号公報に開示されている折り畳み式コンテナが知られている。この折り畳み式コンテナは、矩形状の底板の四辺部に対して直接的に若しくはそこに形成された基部に対して、それぞれ側壁を構成する壁板を、その下辺部において丁番構造をもって内方に折り畳み可能に取り付けた構造を有している。さらに、このコンテナには、前記側壁の角部を構成する、互いに隣り合った前記壁板の相互に隣接する側辺部において、その何れか一方の側辺部に対して、他方の側辺部に係止されてそれら両壁板の外方への開きを相互に規制する係止部材が設けられている。加えて、前記隣接する側辺部のうちの何れか一方の側辺部に対して、他方の側辺部に形成された係合孔に付勢力をもって離脱可能に係合されてそれら両壁板の内方への回動を相互に規制する係合部材が設けられている。そして、前記両係合部材を付勢力に抗して横方向にスライド操作し、前記係合孔に対する係合を解くことによって、前記係合部材が設けられた側壁を内方に回動させて容易に折り畳むことができる。
【０００３】
【発明が解決しようとする課題】
ところが、前記従来の折り畳み式コンテナでは、左右一対の係合部材が側壁の両端部の離間した位置に設けられているうえ、これら２つの係合部材を同時に係合孔から離脱させることにより前記側壁が折り畳まれるように構成されていた。このため、前記側壁を折り畳む際には、側壁の両端部に両手を添えて操作することにより両係合部材と係合孔との係合状態を解除する必要があり、一度に一方の側壁のみしか折り畳むことができなかった。
【０００４】
この発明は、上記のような従来技術に存在する問題点に着目してなされたものである。その目的とするところは、折り畳み作業を極めて容易に行うことができるように構成された折り畳み式運搬用容器を提供することにある。
【０００５】
【課題を解決するための手段】
上記の目的を達成するために、請求項１に記載の発明の折り畳み式運搬用容器は、底壁とその底壁の周縁に沿って立設された第一側壁及び第二側壁とからなる有底四角箱状の容器本体を備え、各側壁の下端部には各側壁を容器本体の内方に折り畳むための回動手段を設けるとともに、第一側壁を底壁の上面に折り畳んだ後、第二側壁をその上に折り畳むことにより、容器本体を折り畳み可能に構成した折り畳み式運搬用容器であって、前記第一側壁の外側面には、上下方向にスライドする垂直スライド部材と、その垂直スライド部材と連動して水平方向にスライドする水平スライド部材とを添設し、両スライド部材間には垂直スライド部材の上下方向のスライドを水平スライド部材の水平方向のスライドに変換しながら伝達するスライド変換手段を設けるとともに、前記水平スライド部材の外端部に係合解除部を設け、前記第二側壁の両端部には同側壁の外側方に弾性変形可能に押圧される押圧片を設け、その押圧片の内端部には第一側壁の内側面と係合してその折り畳みを規制する係合突部を設けるとともに、前記垂直スライド部材を上動又は下動させることにより前記係合解除部が係合突部を第二側壁の外側方に押圧して第一側壁の折り畳み規制を解除するように構成したものである。
【０００６】
請求項２に記載の発明の折り畳み式運搬用容器は、請求項１に記載の発明において、前記第一側壁と、垂直スライド部材又は水平スライド部材との接合部に、前記係合解除部が係合突部を第二側壁の外側方に押圧しないように係合解除部を所定方向に付勢するための付勢手段を設けたことを特徴とするものである。
【０００７】
請求項３に記載の発明の折り畳み式運搬用容器は、請求項１又は請求項２に記載の発明において、前記スライド変換手段を、垂直スライド部材の両端部に斜め上方又は斜め下方に傾斜する長孔状に穿設されたスライド係合孔と、水平スライド部材の基端部に設けられたスライド係合凸部と、前記水平スライド部材を水平方向にスライドするようにガイドするスライドガイド部とから構成するとともに、前記スライド係合凸部をスライド係合孔内でスライド可能となるように係入させるように構成したことを特徴とするものである。
【０００８】
【発明の実施の形態】
以下、この発明を具体化した実施形態を図面に基づいて詳細に説明する。
図１、図２及び図５に示すように、折り畳み式運搬用容器を構成する容器本体１１は、合成樹脂により有底長四角箱状に形成されている。この容器本体１１は、長四角板状に形成された底壁１２と、その底壁１２の対向する一側縁に沿って立設された第一側壁としての一対の長側壁１３と、前記底壁１２の対向する他側縁に沿って立設された第二側壁としての一対の短側壁１４とを備えている。この折り畳み式運搬用容器の容器本体１１は、一対の長側壁１３を底壁１２の上面に折り畳んだ後、残り一対の短側壁１４を長側壁１３の上面に折り畳むことによって、折り畳み可能に構成されている。
【０００９】
底壁１２の対向する一側縁には、ほぼ四角柱状（側断面逆Ｕ字状）に形成された支持突条２３が容器本体１１の隣接するコーナ部間を繋ぐように立設され、その上端面で長側壁１３を支持している。底壁１２の対向する他側縁には、ほぼ長四角柱状（正断面逆Ｕ字状）に形成された支持突条２４が容器本体１１の隣接するコーナ部間を繋ぐように立設され、その上端面で短側壁１４を支持している。支持突条２３は長側壁１３の厚みとほぼ同じ高さに形成されており、支持突条２４は長側壁１３の厚みと短側壁１４の厚みとを加えた長さとほぼ同じ高さに形成されている。各支持突条２３，２４の上端部内方位置には、所定間隔をおいて回動手段を構成する軸受け部２５が略四角孔状に凹設されている。また、図５に示すように、支持突条２３の外側面両端部には、正面長四角形状に形成された左右一対の収容凹部２６が所定深さ凹設されている。
【００１０】
図３（ａ）、（ｂ）及び図４（ａ）に示すように、長側壁１３の下端部には、所定間隔をおいて略四角柱状に形成された回動手段を構成する回動軸部３１が垂下されている。さらに、各回動軸部３１の下端部両側面には、横円柱状に形成された回動手段を構成する左右一対の回動軸３１ａが横方向に延びるように突設されており、前記支持突条２３の軸受け部２５内に回動可能となるように軸着されている。この構成により、長側壁１３は、容器本体１１の内方に回動して折り畳まれるとともに、容器本体１１の外方に回動され難くなっている。
【００１１】
長側壁１３の左右両側部には、その外側部上方位置を正面長四角形状に凹設することによって係合凹部４１が設けられている。この係合凹部４１の下部及び中央部には、正面ほぼコ字状に形成された下部規制凸部４２ａ及び中央部規制凸部４２ｂがいずれも長側壁１３の外側方に延びるように突設されている。さらに、この係合凹部４１の上端部には、長側壁１３を構成する壁面の一部を外側方に突出させることにより、正面四角形状及び側断面コ字状に形成された上部規制凸部４２ｃが設けられている。
【００１２】
この上部規制凸部４２ｃは、四角板状に形成された係合板４３ａと、その係合板４３ａの上下両端縁と長側壁１３の外側面との間を繋ぐ上下一対の係合板支持板４３ｂとを備えている。前記係合板４３ａの裏面は、長側壁１３の内側面を四角孔状に凹設することにより第一側壁の内側面及び係入凹部を構成している。さらに、同係合板４３ａの左右両側部は開口されており、係合板４３ａの裏面と、長側壁１３の外側面と、上下の係合板支持板４３ｂとの間には、横方向に延びるように貫設された係入凹部を構成する係入孔４３ｃが形成されている。
【００１３】
長側壁１３の上端部外側面には、上下方向に延びる各一対の縦リブ４５ａ，４５ｂ，４５ｃが突設されている。各縦リブ４５ａ，４５ｂ，４５ｃの中央部に位置する長側壁１３の壁面には、背面三角形状又は長方形状に形成された貫通孔４６ａ，４６ｂ，４６ｃが貫設されている。さらに、各縦リブ４５ａ，４５ｂ，４５ｃの基端部中央には、前記上部規制凸部４２ｃとほぼ上下に一致する位置に、側面長四角形状に形成されたスライドガイド部を構成する挿通孔４７ａ，４７ｂ，４７ｃが貫設されている。
【００１４】
長側壁１３の上端部外側面中央部には、正面四角形状、平断面Ｌ字状に形成された左右一対のスライド掛合突起４８が突設されている。各スライド掛合突起４８は、その基端部一側方に位置する長側壁１３の壁面に設けられた四角孔状の成形孔４８ａを貫設することにより、成形時の上下抜きが可能となるように構成されている。これらスライド掛合突起４８の両側方に位置する縦リブ４５ｃの対向する一側面には、正面Ｌ字状に形成されたスライドガイド部を構成する上下一対の係止リブ４９が長側壁１３の外側面から外側方に延びるように突設されている。上方に位置する係止リブ４９の下端面、及び下方に位置する係止リブ４９の上端面は、いずれも水平面に沿って延びる平坦面により構成されている。
【００１５】
図５（ａ）及び図６に示すように、対向する一対の長側壁１３の上端部外側面には、略長四角板状（略長四角柱状）に形成された垂直スライド部材５１と、その垂直スライド部材５１の左右両端部に連結された左右一対の水平スライド部材５２とが添設されている。
【００１６】
垂直スライド部材５１は、合成樹脂により長四角板状（長四角柱状）に形成されている。この垂直スライド部材５１の左右両端部には、上方ほど垂直スライド部材５１の外端部側へと傾斜するように斜め上方に延びる長孔状に形成されたスライド変換手段を構成する左右一対のスライド係合孔５３が貫設されている。
【００１７】
この垂直スライド部材５１の下端部外側面中央部には、横方向に延びる操作部としての操作リブ５４が設けられており、垂直スライド部材５１を下方に容易に押圧操作することができるように構成されている。前記スライド係合孔５３と操作リブ５４との中間位置には、左右一対のスライド掛合孔５５が上下方向に延びる長孔状に貫設されており、前記スライド掛合突起４８を係入させて、垂直スライド部材５１を長側壁１３の外側面に沿って上下動可能に添着している。
【００１８】
さらに、この垂直スライド部材５１の下端面中央部には、付勢手段を構成する左右一対の付勢板５６が突設されている。これら一対の付勢板５６は、垂直スライド部材５１の下面中央部から斜め下方に延びる側面ハ字状となるように垂下されている。さらに、これら付勢板５６の下端部（先端部）は、長側壁１３の上部外側面に横方向に延びるように突設されている側壁リブ５７の上面に当接されており、垂直スライド部材５１を常に上方に付勢している。
【００１９】
水平スライド部材５２は、合成樹脂により横方向に延びる略長棒状に形成されている。この水平スライド部材５２の一端部（先端部）には、水平方向に延びる長棒状に形成された係合解除部としての係合解除突起６１が設けられており、前記係入孔４３ｃ及び挿通孔４７ａ内に係入されつつ長側壁１３の外側面に沿って水平方向にスライド可能に添着支持されている。
【００２０】
この水平スライド部材５２の他端部（基端部）には、略長四角板状に形成された板状部６２が設けられている。この板状部６２の上下端面は、いずれも水平面に沿って延びる平坦面によって構成されており、前記上下一対の係止リブ４９間に挟持されつつ長側壁１３の外側面に沿って水平方向にスライド可能に添着支持されている。また、この水平スライド部材５２の中央部は、前記挿通孔４７ｂ，４７ｃ内に係入されつつ長側壁１３の外側面に沿って水平方向にスライド可能に添着支持されている。
【００２１】
前記板状部６２の一端部外側面には、円柱状に形成されたスライド変換手段を構成するスライド係合凸部６３が長側壁１３の外側方に延びるように突設されており、前記垂直スライド部材５１のスライド係合孔５３内にスライド可能となるように係入されている。これらの構成により、前記垂直スライド部材５１を長側壁１３の外側面に沿って上下動させることにより、左右一対の水平スライド部材５２がそれぞれ長側壁１３の外側面に沿って水平方向にスライドされるようになっている。
【００２２】
図２及び図４（ｂ）に示すように、短側壁１４の下端部には、所定間隔をおいて略四角柱状に形成された回動手段を構成する回動軸部３１が垂下されている。これら回動軸部３１の下端部両側面には、回動手段を構成する左右一対の回動軸３１ａが突設されており、前記支持突条２４の軸受け部２５内に回動可能となるように軸着されている。この構成により、短側壁１４は、容器本体１１の内方に回動して折り畳まれるとともに、容器本体１１の外方に回動され難くなっている。
【００２３】
図１（ａ）、図２（ｂ）、図４（ｂ）及び図５に示すように、短側壁１４の左右両側部には、略長四角板状に形成された規制板８１が短側壁１４の内側方（長側壁１３と平行）に延びるように突設され、前記長側壁１３の係合凹部４１内に収容されるように構成されている。この規制板８１の裏面（内側面）下端部から中央部は、容器本体１１の内側方に向かって僅かに突出するように形成されており、容器本体１１を組立てたとき長側壁１３の係合凹部４１外側面と当接可能となるように配置され、長側壁１３が容器本体１１の外方に回動するのを規制するようになっている。また、図５（ｂ）に示すように、これら規制板８１は、容器本体１１を折り畳んだとき、支持突条２３の収容凹部２６内に収容されるようになっている。
【００２４】
図４（ｂ）及び図５に示すように、規制板８１の下端部、中央部及び上端部にはそれぞれ、規制手段を構成する下部規制孔８２ａ、中央部規制孔８２ｂ及び上部規制孔８２ｃが長四角孔状に貫設されている。これら規制孔８２ａ，８２ｂ，８２ｃは、前記長側壁１３の係合凹部４１外側面に突設された各規制凸部４２ａ，４２ｂ，４２ｃを係入させるように構成されており、それら係合関係によって、容器本体１１を組立てたとき、短側壁１４が容器本体１１の外方に回動するのを規制するようになっている。即ち、これら規制凸部４２ａ，４２ｂ，４２ｃ及び規制孔８２ａ，８２ｂ，８２ｃにより規制手段が構成されている。
【００２５】
図１、図２及び図４（ｂ）に示すように、上部規制孔８２ｃの側方に位置する短側壁１４の左右両端部には、短側壁１４の壁面をコ字状に切欠いた切欠き８５を形成させることにより、四角板状に形成された押圧片８６が設けられている。各押圧片８６は、その先端部が短側壁１４の外端部側に位置するように構成されている。これら押圧片８６の先端部内側面には、平断面直角三角形状に形成された係合突部８７が短側壁１４の内側方に延びるように突設されている。
【００２６】
この係合突部８７は、押圧片８６の先端側ほど容器本体１１の内方へと突出するように傾斜した傾斜面８７ａと、押圧片８６の先端に位置し長側壁１３と平行に延びる平坦面からなる係合面８７ｂとを備えている。そして、この押圧片８６は、その基端部を中心に短側壁１４の外側方に僅かに弾性変形可能となるように構成されているうえ、容器本体１１を組立てたとき、係合突部８７の係合面８７ｂが長側壁１３の内側面（係合板４３ａの裏面）と係合され、長側壁１３が容器本体１１の内方に回動するのを規制する。
【００２７】
一方、図１（ｂ）及び図６（ａ）に示すように、この折り畳み式運搬用容器において、容器本体１１を組立てたとき、前記係合突部８７の先端部（傾斜面８７ａと係合面８７ｂとの境界部）は、前記水平スライド部材５２の係合解除突起６１の先端面の側方に近接配置されている。そして、図６（ｂ）に示すように垂直スライド部材５１を長側壁１３の外側面に沿って下動させたとき、水平スライド部材５２が長側壁１３の外側面に沿って外側方にスライドされ、係合解除突起６１の先端面が係合突部８７の先端部を短側壁１４の外側方に押圧する。その結果、前記係合突部８７の係合面８７ｂと長側壁１３の内側面（係合板４３ａの裏面）との係合状態が解除され、長側壁１３が容器本体１１の内方に回動可能な状態になる。
【００２８】
上記折り畳み式運搬用容器の作用について以下に記載する。
図１（ｂ）、図２及び図５（ａ）に示すように、組立て状態の折り畳み式運搬用容器の容器本体１１は、垂直スライド部材５１の下面に突設された左右一対の付勢板５６の先端部が側壁リブ５７の上面と当接されていることから、垂直スライド部材５１が常に上方に位置するように付勢されている。さらに、左右一対の水平スライド部材５２は、前記垂直スライド部材５１に対しスライド係合孔５３とスライド係合凸部６３との係合関係により連結されていることから、長側壁１３の中央側（垂直スライド部材５１側）に位置するように付勢されている。
【００２９】
このため、長側壁１３に添設された左右一対の係合解除突起６１の先端面は、短側壁１４の係合突部８７の先端部と僅かに離間した位置に配置されている。さらに、前記係合突部８７の先端部は、長側壁１３の係入孔４３ｃ内に係入されている。その結果、前記係合突部８７の係合面８７ｂが長側壁１３の係合板４３ａの裏面と当接可能な状態で対向配置され、長側壁１３が容器本体１１の内方に折り畳まれないようになっている。
【００３０】
さて、この組立て状態の容器本体１１を折り畳む際には、まず、図６（ａ）に示される垂直スライド部材５１の操作リブ５４を付勢板５６の付勢力に抗して下方に押圧した状態で、その垂直スライド部材５１が添設されている長側壁１３を容器本体１１の内方へ回動させる。このとき、図６（ｂ）に示すように、前記垂直スライド部材５１は、スライド掛合孔５５に沿って下方にスライドしながら、左右一対の水平スライド部材５２を離間する方向に引き離し、長側壁１３の外方側（短側壁１４側）へと水平方向にスライドさせる。その結果、それら水平スライド部材５２の係合解除突起６１の先端面が係合突部８７の先端部を短側壁１４の外側方へと押圧し、その係合突部８７の係合面８７ｂが長側壁１３の内側面とずれた位置に移動し、長側壁１３を容器本体１１の内方に折り畳むことができる。
【００３１】
次に、図２（ｂ）に示すように対向する一対の長側壁１３を底壁１２の上面に折り畳んだ後、残り一対の短側壁１４を前記折り畳まれた両長側壁１３の上面に折り畳むことによって、図５（ｂ）に示すように容器本体１１を平板状に小さくコンパクトに折り畳む。なおこのとき、短側壁１４の左右両端部に突設されている規制板８１は、支持突条２３の収容凹部２６内に収容され、折り畳まれた状態の短側壁１４の上端面が低い位置に配置される。また、この折り畳み式運搬用容器の容器本体１１は、折り畳まれた状態で上下に積み重ねることができる。
【００３２】
一方、上記折り畳み状態の容器本体１１を組立てる際には、一対の短側壁１４を回動軸３１ａを軸にして上方に９０°回動させて支持突条２４の上端面上に立設させた後、残り一対の長側壁１３を同様に回動させて支持突条２３の上端面上に立設させる。図１（ａ）、図２（ｂ）及び図５に示すように、前記長側壁１３を立設させる際には、まず、その左右両端部に突設された規制凸部４２ａ，４２ｂ，４２ｃの先端部が、短側壁１４の規制板８１の規制孔８２ａ，８２ｂ，８２ｃ内に係入される。
【００３３】
このとき、長側壁１３両端部の係合板４３ａの外側部は、短側壁１４の両端部内側面に突出している係合突部８７の傾斜面８７ａと当接した後、同傾斜面８７ａ上を滑らかに摺接しながら押圧片８６を押圧して短側壁１４の外側方に弾性変形させる。続いて、前記係合板４３ａの外側部は、押圧片８６を押圧しながら係合突部８７の先端部を越えて規制板８１の裏面に近接した後、前記傾斜面８７ａとの当接（摺接）状態が解除される。その結果、前記押圧片８６は、弾性変形する前の状態に戻されて短側壁１４に沿うように配置される。このため、短側壁１４両端部の係合突部８７の先端部は長側壁１３の係入孔４３ｃ内に係入されるとともに、その係合突部８７の係合面８７ｂが係合板４３ａの裏面と当接可能な状態で対向配置され、長側壁１３の容器本体１１内方への回動が規制される。
【００３４】
その結果、この組立て状態の容器本体１１は、長側壁１３の両端部に位置する係合板４３ａの裏面と、短側壁１４の両端部に位置する係合突部８７の傾斜面８７ａとが係合された状態となり、長側壁１３が容器本体１１の内方に回動するのが防止されている。さらに、前記短側壁１４の規制板８１が長側壁１３の左右両端部外側面を覆うように突設されていることから、長側壁１３の容器本体１１外方への回動も規制されている。従って、この組立て状態の長側壁１３は、容器本体１１の内方及び外方のいずれの方向にも回動規制され、支持突条２３の上端面上で上下方向に立設固定されている。
【００３５】
また、左右一対の短側壁１４は、長側壁１３の左右両端縁と当接された状態で配置されていることから、容器本体１１内方への回動が防止されている。さらに、図５（ａ）に示すように、短側壁１４の規制板８１に設けられた各規制孔８２ａ，８２ｂ，８２ｃ内に、長側壁１３両側部の各規制凸部４２ａ，４２ｂ，４２ｃが係入されていることから、短側壁１４の容器本体１１外方への回動も規制されている。従って、この組立て状態の短側壁１４は、容器本体１１の内方及び外方のいずれの方向にも回動規制され、支持突条２４の上端面上で上下方向に立設固定されている。また、この折り畳み式運搬用容器の容器本体１１は、組立て状態で上下に積み重ねることができるとともに、組立て状態の容器本体１１の上下に、上記折り畳み状態の容器本体１１を積み重ねることもできる。
【００３６】
上記実施形態によって発揮される効果について、以下に記載する。
・　この折り畳み式運搬用容器は、四角板状に形成された底壁１２、その底壁１２の周縁に沿って立設される対向する各一対の長側壁１３及び短側壁１４とからなる有底四角箱状の容器本体１１を備えている。さらに、各側壁１３，１４の下端部には、各側壁１３，１４を容器本体１１の内方に折り畳むための回動手段（軸受け部２５、収容凹部２６及び回動軸部３１）が設けられている。そして、この折り畳み式運搬用容器の容器本体１１は、対向する一対の長側壁１３を底壁１２の上面に折り畳んだ後、残り一対の短側壁１４をその上面に折り畳むことによって折り畳み可能となるように構成されている。
【００３７】
加えて、長側壁１３の外側面には、上下方向にスライドするように構成された垂直スライド部材５１と、その垂直スライド部材５１に連結されるとともに水平方向にスライドするように構成された左右一対の水平スライド部材５２とが添設されている。そのうえ、前記垂直スライド部材５１と水平スライド部材５２との連結部には、垂直スライド部材５１の上下方向のスライドを水平スライド部材５２の水平方向のスライドに変換しながら伝達するためのスライド変換手段（スライド係合孔５３、スライド係合凸部６３及び係止リブ４９）が設けられている。また、前記水平スライド部材５２の外端部には係合解除突起６１が設けられている。
【００３８】
さらに、前記短側壁１４の両端部には、短側壁１４の外側方に弾性変形可能に押圧される押圧片８６が設けられているうえ、その押圧片８６の内端部（内側面）には長側壁１３の内側面（係合板４３ａの裏面）と係合して長側壁１３の折り畳みを規制するための係合突部８７が突設されている。そして、この折り畳み式運搬用容器は、前記垂直スライド部材５１を下動させることにより、前記係合解除突起６１が係合突部８７を短側壁１４の外側方に押圧し、係合突部８７と長側壁１３内側面との間の係合状態を解除するように構成されている。
【００３９】
このため、この折り畳み式運搬用容器は、垂直スライド部材５１の操作リブ５４を下方に押圧操作することにより、短側壁１４両端部の係合突部８７と長側壁１３の両端部内側面との係合状態をワンタッチで解除することができることから、組立て状態の容器本体１１を極めて容易に折り畳むことが可能である。特に、１枚の長側壁１３を片手のみでワンタッチで折り畳むことが可能であることから、両手で１枚の短側壁を折り畳む構成である前記従来の折り畳み式コンテナと比較して、より一層折り畳み作業を容易に行うことができる。
【００４０】
また、容器本体１１の組立て時においても、１枚の長側壁１３を支持突条２３上に立設固定する作業を片手のみを用いてワンタッチで行うことができることから、組立て作業も極めて容易に行うことができる。さらに、操作リブ５４を下方に押圧することにより前記係合状態が解除されるように構成されていることから、容器本体１１を持ち上げる際に誤って操作リブ５４を上動させた場合でも容器本体１１が容易には折り畳まれず、大変利便性が高い。
【００４１】
・　この折り畳み式運搬用容器は、長側壁１３と垂直スライド部材５１との接合部に、係合解除突起６１が係合突部８７を短側壁１４の外側方に押圧しないように係合解除突起６１を所定方向（基端部側）に付勢するための付勢手段（付勢板５６及び側壁リブ５７）が設けられている。このため、この折り畳み式運搬用容器では、組立て状態の容器本体１１が不測に折り畳まれるのを極めて効果的に防止することができる。
【００４２】
・　この折り畳み式運搬用容器のスライド変換手段は、垂直スライド部材５１の両端部に斜め上方又は斜め下方に傾斜する長孔状に穿設されたスライド係合孔５３と、水平スライド部材５２の基端部に設けられたスライド係合凸部６３とを備えている。さらに、前記スライド変換手段は、水平スライド部材５２を長側壁１３の外側面に沿って水平方向にスライドするようにガイドするスライドガイド部としての上下一対の係止リブ４９を備えている。加えて、前記スライド係合凸部６３は、前記スライド係合孔５３内で斜め上方又は斜め下方にスライド可能となるように係入されている。このため、この折り畳み式運搬用容器は、極めて簡単な構成で、垂直スライド部材５１の上下動を水平スライド部材５２の水平方向へのスライドに効率的に変換することができることから、折り畳み作業を極めて容易に行うことができる。
【００４３】
・　この折り畳み式運搬用容器は、上部規制凸部４２ｃが係合板４３ａ及び上下一対の係合板支持板４３ｂとからなる側断面コ字状となるように形成されている。即ち、この折り畳み式運搬用容器では、係合突部８７の係合面８７ｂと係合して長側壁１３の容器本体１１内方への折り畳みを規制する部位（係合板４３ａ）の周囲の壁面が凹凸形状となるように形成されていることから、その部位の強度が著しく容易に高められている。このため、容器本体１１の運搬時等に長側壁１３の折り畳み方向にかかる荷重に対して高い強度で受け止めることが可能となり、組立て状態の容器本体１１の強度を容易に高めることができる。
【００４４】
なお、本実施形態は、次のように変更して具体化することも可能である。
・　側壁リブ５７の中央部下面又はその下方近接位置に、容器本体１１を把持するための把持孔等の把持部を設けること。
【００４５】
・　係合板４３ａの外側縁表面側を面取りすること。このように構成した場合、長側壁１３を容器本体１１の外方に回動させて支持突条２３の上面に立設させるとき、係合板４３ａと傾斜面８７ａとを極めて滑らかに摺接させることができることから、容器本体１１の組立て作業を容易に行うことができる。
【００４６】
・　上部規制孔８２ｃを省略するとともに、係合板支持板４３ｂの突出幅を低くすること。このように構成した場合、容器本体１１を組立てたとき、係合板４３ａの外側面（表面）と規制板８１の内側面（裏面）とが当接可能な状態で配置され、長側壁１３の容器本体１１外方への回動規制を効果的に行うことができる。
【００４７】
・　押圧片８６の基端部が短側壁１４の外側部に位置するように配設するとともに、その押圧片８６内側面の先端部から中央部にかけて係合突部８７を突設すること。なお、前記係合突部８７の先端部及び係合面８７ｂは押圧片８６の中央部に位置し、傾斜面８７ａは押圧片８６の先端側ほど短側壁１４の内側面に近づくように傾斜している。
【００４８】
・　図７に示すように、垂直スライド部材５１のスライド係合孔５３を省略するとともに、その垂直スライド部材５１の左右両側縁を上方ほど拡がるテーパ形状に形成することにより、同垂直スライド部材５１の左右両側面をテーパ面９１とすること。さらに、水平スライド部材５２のスライド係合凸部６３を省略するとともに、その水平スライド部材５２の板状部６２の一端縁を下方ほど拡がるテーパ形状に形成することにより、同板状部６２の一端面をガイド面９２とすること。なお、前記テーパ面９１とガイド面９２とは互いに密接するように構成されている。加えて、水平スライド部材５２の中央部上下端面に、横ハ字状に形成された上下一対の付勢板９３を突設し、挿通孔４７ｂの上下端部と係合するように構成すること。なお、前記テーパ面９１及びガイド面９２はスライド変換手段を構成し、付勢板９３及び挿通孔４７ｂは付勢手段を構成する。また、付勢板５６を省略しても構わない。
【００４９】
このように構成した場合、垂直スライド部材５１を下動させることにより、テーパ面９１がガイド面９２と摺接しながら両水平スライド部材５２を離間する方向に押圧し、係合突部８７と長側壁１３内側面との間の係合状態を解除することができる。また、水平スライド部材５２に設けられた付勢板９３が挿通孔４７ｂの上下端部と当接することにより、水平スライド部材５２の係合解除突起６１が係合突部８７を押圧しないように付勢することによって、容器本体１１の組立て状態を容易に維持することができる。
【００５０】
さらに、前記実施形態より把握できる技術的思想について以下に記載する。
・　前記垂直スライド部材の略中央部に操作部を設けたことを特徴とする請求項１から請求項３のいずれかに記載の折り畳み式運搬用容器。
【００５１】
・　前記垂直スライド部材を下動させることにより、前記係合解除部が係合突部を第二側壁の外側方に押圧するように構成したことを特徴とする請求項１から請求項３のいずれかに記載の折り畳み式運搬用容器。
【００５２】
・　前記第二側壁の両端部に第一側壁の外方への回動を規制するための規制板を設けるとともに、前記規制板と第一側壁の両端部との接合部に第二側壁の外方への回動を規制するための規制手段を設けたことを特徴とする請求項１から請求項３のいずれかに記載の折り畳み式運搬用容器。
【００５３】
・　前記第一側壁の両端部内側面に、容器本体を組立てたとき前記係合突部が係入されるように構成された係入凹部を凹設したことを特徴とする請求項１から請求項３のいずれかに記載の折り畳み式運搬用容器。
【００５４】
・　前記第一側壁の両端部内側面に、容器本体を組立てたとき前記係合突部が係入されるように構成された係入凹部を凹設するとともに、その係入凹部内で前記係合解除部が水平方向にスライドするように構成したことを特徴とする請求項１から請求項３のいずれかに記載の折り畳み式運搬用容器。
【００５５】
・　前記係合突部を平断面直角三角形状に形成したことを特徴とする請求項１から請求項３のいずれかに記載の折り畳み式運搬用容器。
・　前記垂直スライド部材の下方位置に容器本体を把持するための把持部を設けるとともに、その把持部を把持した手で垂直スライド部材の上下動を操作することができるように構成したことを特徴とする請求項１から請求項３に記載の折り畳み式運搬用容器。このように構成した場合、容器本体の折り畳み作業をより一層容易に行うことができる。
【００５６】
【発明の効果】
以上詳述したように、この発明によれば、次のような効果を奏する。
請求項１から請求項３に記載の発明の折り畳み式運搬用容器によれば、折り畳み作業を極めて容易に行うことができる。
【図面の簡単な説明】
【図１】（ａ）は実施形態の折り畳み途中の容器本体の一部を示す平面図、（ｂ）は同じく組立て状態の容器本体の一部を示す正断面図。
【図２】（ａ）は実施形態の一部を破断した組立て状態の容器本体を示す側面図、（ｂ）は同じく折り畳み途中の容器本体を示す側断面図。
【図３】（ａ）は実施形態の長側壁の一部を示す正面図、（ｂ）は同じく長側壁を示す側面図。
【図４】（ａ）は実施形態の長側壁の一部を示す背面図、（ｂ）は図２（ｂ）の４ｂ線から見た短側壁を示す断面図。
【図５】（ａ）は実施形態の組立て状態の容器本体の一部を示す正面図、（ｂ）は同じく折り畳み状態の容器本体の一部を示す正面図。
【図６】（ａ）及び（ｂ）はいずれも、実施形態の容器本体の一部を示す正面図。
【図７】実施形態以外の容器本体の一部を示す正面図。
【符号の説明】
１１…容器本体、１２…底壁、１３…第一側壁としての長側壁、１４…第二側壁としての短側壁、２５…回動手段を構成する軸受け部、３１…回動手段を構成する回動軸部、３１ａ…回動手段を構成する回動軸、４３ａ…第一側壁の内側面を構成する係合板、４７ａ，４７ｂ，４７ｃ…スライドガイド部を構成する挿通孔、４９…スライド変換手段を構成するスライドガイド部としての係止リブ、５１…垂直スライド部材、５２…水平スライド部材、５３…スライド係合孔、５６…付勢手段を構成する付勢板、５７…付勢手段を構成する側壁リブ、６１…係合解除部としての係合解除突起、６３…スライド係合凸部、８６…押圧片、８７…係合突部、９１…スライド変換手段を構成するテーパ面、９２…スライド変換手段を構成するガイド面、９３…付勢手段を構成する付勢板。
【図１】
2004051199.tif 000003
【図２】
2004051199.tif 000004
【図３】
2004051199.tif 000005
【図４】
2004051199.tif 000006
【図５】
2004051199.tif 000007
【図６】
2004051199.tif 000008
【図７】
2004051199.tif 000009